(57)【要約】【課題】身体に熱媒体を装着時、同箇所への長時間使用時による皮膚への負担を軽減する事ができるとした熱媒体装着袋を提供する事を課題とする。【解決手段】例えば図１の場合、熱媒体物を収納する収納袋１に開閉口２を設け、身体の所定の位置に収納袋1を支持するために、収納袋1に支持用筒状部４と肩掛け紐（サスペンダー等）３とを備えている。支持用筒状部４内側面には、いわゆる滑り止め効果のあるゴム状の突起８が設けられ、肩掛け紐（サスペンダー等）３より収納袋１が安易に滑り落ちないように滑り止めとしている。また、収納袋上下中央に、上下引っ張り紐５・６が設けられ、身体の部位に装着した収納袋を上下方向に可動自在にする。【選択図】図１
2011000302.tif 000002
【特許請求の範囲】
【請求項１】
身体の一部に装着される熱媒体収納用の収納袋と、上記収納袋を身体の所定の位置に支持するために設けられ、両端に衣類の端部に固定するための止め具を備えた一対の肩掛け紐を有し、上記肩掛け紐は、上記収納袋の身体に装着される側の面と逆の面に形成された支持用筒状部に挿通され、上記収納袋と、肩掛け紐との位置関係が調節可能に構成されている事を特徴とする熱媒体装着具。
【請求項２】
引張り紐が収納袋の上部端中央側及び下部端中央側に設けられた事を特徴とする請求項１記載の熱媒体装着具。
【請求項３】
ゴム状の複数の突起が筒状部の内側に設けられた事を特徴とする請求項１記載の熱媒体装着具。
【発明の詳細な説明】
【技術分野】
【０００１】
本発明は、熱媒体（たとえば「使い捨てカイロ」）収納用の収納袋を備え、かつ身体の部位に安易に装着箇所を移動可能な状態で使用できる、熱媒体装着具に関するものである。
【背景技術】
【０００２】
従来の使い捨てカイロは、衣類に貼りつけるタイプと貼らないタイプとがある。貼らないタイプは、使い捨てカイロ収納用ポケットに入れたり、手の中で握ったりして使用している。貼るタイプは、衣類に粘着面を貼りつけ使用するため、発熱有効時間中、長時間にわたり、身体の一箇所部位に貼り続けることになり、皮膚への負担が大きく、低温やけどを発症する原因にもなり得る。使い捨てカイロ収納袋は過去種々発案されており、例えば、ベスト背面に収納袋を縫合したものや、腹巻に使い捨てカイロ収納袋を取り付けるもの等がある。特許文献１に示すものでは、伸縮首温具に使い捨てカイロ収納袋を縫合し、首に装着使用するので、首に暖かさを供給する上で効果的である。特許文献２に示すものでは、腰紐に使い捨てイロ収納袋をぶら下げ身体に装着して使用し、不要な時はズボンから外に出して使用するので、使い捨てカイロ発熱持続時間内における装着有無が容易に選択できることに効果的である。特許文献３に示すものでは、身体のあらゆるところの保温冷却サポーターとして効果的である。特許文献４に示すナップサック型のカイロ装着収納袋では、長さ調節をするコードストッパーや接続金具を腹部で調節し、収納袋を背面上下に移動可能とした低温やけど予防に効果的である。
【先行技術文献】
【特許文献】
【０００３】
【特許文献１】特開２００７−３０１３３８  使い捨てカイロホルダー
【特許文献２】特開２００８−１２２５０    腰用ホルダー
【特許文献３】特開２００６−３１６３９４  冷却用または保温用の生体サポーター
【特許文献４】特開２００７―２２９４１８  ナップサック型カイロ装着収納袋
【発明の概要】
【発明が解決しようとする課題】
【０００４】
しかしながら、文献１・文献２の方法では、各ホルダーを着脱しない限り、身体の同一部位を温めるという構成が採用されている。使用中の使い捨てカイロが不要になった時には、カイロホルダーを身体より取り外さないといけないという問題点がある。
【０００５】
また、直接衣類に貼りつける使い捨てカイロのようにカイロ装着はいたって簡単だが、衣類に粘着面を貼り付けるため、一度貼り付けたものは粘着力の劣化によりもったいないので剥がす事をせず、そのため、長時間同箇所を装着にしたままで使用することになり、保温効果持続時間中、身体の一定箇所ばかりに熱が加わる。そうすると皮膚の炎症を引き起こし低温やけどを起こす事も有り得るという課題があることに着目すべきである。
【０００６】
さらに文献３の方法では、サポート機能により、身体の締め付けによるリンパの流れを阻止する可能性がありうるという課題がある事に注目するべきである。
【０００７】
文献４の方法では、背面に装着した収納袋を肩掛け紐に設けたコードストッパーにより身体の所定の位置に支持しているが、コードストッパーとコードストッパーより出ている不要な肩掛け紐の一端と接続具とが、ナップサック型カイロ装着用収納袋を身体に装着するにおいて、腹部への邪魔となることに注目すべきである。
【０００８】
また、下着で覆われていない身体の箇所に、使い捨てカイロを装着することは出来ないため、保温効果を希望する部位の衣類の上から、貼る使い捨てカイロを貼ることになり、外見上ファッション性に欠け、不細工で格好悪いということに注目するべきである。
【０００９】
そこで、この発明は、衣類で覆われているか否かに関わらず、好みの箇所に、使い捨てカイロを装着でき、かつ、装着位置を容易に移動させることが出来るため、同部位に長時間における装着による低温やけどの予防をし、希望の部位に身体を締め付けない状態で、身体部位に保温保冷効果を得られる熱媒体装着具を提供することを課題とする。
【課題を解決するための手段】
【００１０】
以上の課題を解決するために、第１の発明は、身体の一部に装着される熱媒体収納用の収納袋と、上記収納袋を身体の所定の位置に支持するために設けられ、両端に衣類の端部に固定するための止め具を備えた一対の肩掛け紐を有し、上記肩掛け紐は、上記収納袋の身体に装着される側の面と逆の面に形成された支持用筒状部に挿通され、上記収納袋と、肩掛け紐との位置関係が調節可能に構成されている。
【００１１】
第２の発明は、第１の発明において、前記収納袋に、引張り紐が収納袋の上部端中央側及び下部端中央側に設けた。
【００１２】
第３の発明は、第１の発明において、支持用筒状部の内側両面に肩掛け紐（サスペンダー等）の滑り止めのゴム状の突起を設けた。
【発明の効果】
【００１３】
請求項１記載の発明によれば、一対の肩掛け紐の両端に、衣類に固定する留め具を備え、熱媒体を収納した収納袋には、身体に装着される方の面と逆の面に形成された支持用袋状部に上記肩掛け紐を挿通し、収納袋が肩掛け紐を介して背面または腹面を自由自在に上下可動する事が出来るようにしているため、広範囲に装着箇所の移動ができ身体の同一部位のみを保温冷却する事による問題点を解決できる。
【００１４】
請求項２記載の発明によれば、衣類背中側のカイロ袋の上部端及び下部端中央端に設けた紐を引っ張る事で、カイロ袋が容易に上下移動できる。
【００１５】
なお、保冷剤を収納袋に入れたときは、身体への保冷効果もあり、装着可能な範囲の箇所であれば、発熱や打撲時に患部を容易に冷却する時が出来る効果がある。
【００１６】
なお、発熱時に身体を冷却する方法として、氷嚢や保冷剤等種々あり肌に直接あてがう物も現存するが、使い捨てによる物では費用もかさむと考えられる。こんな時はこの熱媒体装着袋を使い、繰り返し使える保温剤や保冷剤を挿入すれば、節約に大いに効果がある。
【００１７】
なお、表裏面厚さの違う素材の収納袋を用いることによって、装着時に表裏面を選択したときに、保温剤保冷剤の効果を装着時よりわずかながら体感温度の調整加減ができる効果がある。
【００１８】
なお、収納袋や肩掛け紐・引っ張り紐等は、個性的なファッション性に富んだ個性的なパーツを用いた時は、地味な使い捨てカイロを好みのデザインでファッショナブルに着用できるようになるため、従来の多くは、衣類の内側に装着していたカイロ袋を、上着の上から装着出来るため、アクセサリー気分でおしゃれに使い捨てカイロによる装着を楽しむ事ができる効果がある。
【００１９】
さらに、要介護者に装着する収納袋に、熱媒体以外の芳香剤や介助者同士の伝言メモ紙・さらに常備薬等の収納ポケットとして使用することも出来るとし、収納袋表面には、氏名・血液型・連絡先などを記載し、名札としての活用もできる。
【発明を実施するための形態】
【００２０】
以下、本発明の実施するための最良の形態を図１〜図３に基づいて具体的に説明する。
【００２１】
図１は本発明の熱媒体装着具の一例を示す斜視図である。
図２は同裏側から見た斜視図である。
図３は支持用筒状部の内側展開斜視図である。
図１〜図３において、熱媒体を挿入収納する収納袋１は、全体が肌に優しい好みの布状素材からなり、収納袋１の上部側に熱媒体を出し入れする開閉口２を有し、収納袋１の、身体に装着される方の面と逆の面に肩掛け紐（サスペンダー等）３を挿通する支持用筒状部４を形成し、一対の肩掛け紐３を支持用筒状部４にそれぞれ挿通し、さらに、前記収納袋１上部端中央箇所に設けられたタブ状の突起の収納袋上方向引張り紐５と、収納袋１下部端中央箇所に設けられたタブ状の突起の収納袋下方向引張り紐６とを収納袋１の表面に設け固定し設ける。一対の肩掛け紐（サスペンダー等）３の両端に衣類の端部に固定するための留め具７を備えた一対の肩掛け紐（サスペンダー等）３を用いて、身体の腹面及び背面に自由に熱媒体を挿入した収納袋１を装着することが出来、本人または、介助者による収納袋１の移動を容易に出来る。
【００２２】
さらに供述すれば、ここで収納袋１とは、要するに、熱媒体等が挿入できる収納袋１であれば、好みの布状の素材を用いることが好ましい。具体的な素材には、綿布・不織布・ガーゼ布・絹布等、例えば、マスクに使われている織布や不織布等の素材の収納袋１を使用することができる。
【００２３】
ここで、前記肩掛け紐（サスペンダー等）３とは、伸縮性の有無は問わないが、できれば、伸縮性のある好みの肩掛け紐（サスペンダー等）３を使用した物が好ましい。例えば、肩紐や、サスペンダー等の形状をしているものである。肩掛け紐３と衣類の端部に固定する止め具７は、肩掛け紐３が衣類に止められる物であれば、サスペンダー等の先端部の衣類留め具７に限らず、ボタン、ホック、・縫合・磁石等種類や形は問わない。
【００２４】
ここで、支持用筒状部４とは、一対の肩掛け紐（サスペンダー等）３を通し、身体に装着安定させる事を目的としており、収納袋１が身体に装着する方の面と逆の面に形成された支持用筒状部４に、肩掛け紐３の太さが支持用筒状部４に挿通できる太さであればよいが、できれば、摩擦の無いツルツルした素材のものは、身体の希望の装着箇所に留まらず引力でずり落ちやすいので、肩掛け紐３と支持用筒状部４の関係が引力でずり落ちない太さや身体に凹凸感のない素材を用いるのが好ましい。
【００２５】
ここで、上下方向引っ張り紐５・６とは、要するに、熱媒体等を挿入した収納袋１を、身体の希望する部位に当てるために引っ張る紐で、紐の幅や太さ・細さの形状、または素材はいかなるものでも良い。例えば、具体的に供述すれば、幅２ｃｍの綿テープを縦５ｃｍの輪にして収納袋１の上部及び下部に縫合したものである。
【００２６】
図３は、支持用筒状部４の筒面内側には、肩掛け紐（サスペンダー等）３が引力で安易に滑り落ちないように、ゴム状の突起８を複数有することで、収納袋１のずり落ちを防止できるとしたものである。
【００２７】
本発明の装着具の使い方を図１を用いて説明する。
収納袋１の開閉口２より熱媒体を挿入し、支持用筒状部４に一対の肩かけ紐（サスペンダー等）３をそれぞれ挿通し、一対の肩掛け紐（サスペンダー等）３を、先端部の衣類留め具７をズボンまたはスカートの上縁部の前後各々２箇所に固定し、収納袋１を身体に装着安定させる。収納袋１の装着場所を身体の上部に移動させたい場合は、上部引っ張り紐５を上方向に引張り、収納袋１を下部に移動させたいときは、下部引っ張り紐６を下方向に引張る。このように、上下自在に収納袋１を移動させることが出来る。さらに、引力で安易に滑り落ちない様に支持用筒状部内側にゴム状の突起８を設け滑り落ち防止とした。また、熱媒体効果を途中で取り除きたい場合は、収納袋１に挿入された熱媒体を開閉口２より取り出して離脱させることが出来る。また、一対の肩掛け紐（サスペンダー等）３を着装衣類に紐の先端部の衣類留め具７により取り外すことによっても熱媒体を離脱させられる。さらに、自ら肩掛け紐３の紐調整がしにくい人、例えば要介護者使用の際、上記動作を介助者が実施することで、要介護者の身体に装着した熱媒体収納袋１を容易に移動着脱させることが出来る。
【００２８】
図１〜３の例において、収納袋１の開閉口２より、熱媒体等の飛び出しを防ぐため、収納袋１上端部中央内側に面ファスナーを用いても良い。これは収納袋１の開閉口２を閉じるために用いる事を意味するものであって、必ずしも面ファスナーに限られるものではなく、開閉口２より熱媒体等の飛び出しを防ぐものであれば、例えば、ボタン・スナップ等としても良い。
【００２９】
さらに供述すれば、上記面ファスナー等を用いた場合は、身体への装着時の凹凸感ごわごわ感が生ずる。これらを無くすために、収納袋１の素材を、摩擦の多い素材、例えば綿・不織布などを用いれば、上記面ファスナー等は取り外す事が出来る。
【００３０】
図１〜３の例において、保冷剤や蓄冷剤としては、例えば、スーパーなどで食品保冷剤として用いている保冷剤各種や、アイスノン（登録商法）などの各種色々の熱媒体を用いることが出来る。
【００３１】
図１〜３の例において、保温剤・蓄温剤としては、使い捨てカイロ・ホカロン（登録商法）等の各種熱媒体を用いる。
【００３２】
図１〜３において、収納袋１及び支持用筒状部の素材は、肌に害のないものであれば、好みの物（例えば、綿。紙・ナイロン・テトロン・毛皮・皮・竹など）を用いると、使用者の皮膚の感触が良好となる。
【００３３】
図１〜３の例において、ここで、収納袋１全体をどのようなサイズに設定するかは、多く流通されているサイズの貼るカイロ・ホカロン（登録商標）が挿入できる大きさとしている。
【００３４】
図１〜３の例において、収納袋１は、裏表面の素材の厚さを違えることによって、着用時に裏面・表面を選択する事により、保温剤保冷剤の効果の体感温度をわずかながら調整加減できる事ができる。
【００３５】
図１〜３の例において、前記収納袋１、及び肩掛け紐３、ループ６、支持用筒状部４・上引っ張り紐５・下引っ張り紐６・止め具７他、熱媒体装着袋の各パーツは、それぞれファッション性に富んだ個性豊かな好みの物を使用する事により、着用衣類の上からも使用出来、おしゃれなアクセサリーともなりえると考えられる。
【００３６】
以上のように、本発明の第一実施例を図面に従って具体的に説明したが、本発明はこれに限らず、特許請求の範囲に記載されている範囲で変更することが可能である。
【図面の簡単な説明】
【００３７】
【図１】図１は、本発明による熱媒体装着具の一例を示す斜視図である。
【図２】図２は、同裏側から見た斜視図である。
【図３】図３は、支持用筒状部の内側展開斜視図である。
【符号の説明】
【００３８】
１  収納袋
２  開閉口
３  肩掛け紐
４  支持用筒状部
５  上方向引っ張り紐
６  下方向引っ張り紐
７  留め具
８  ゴム状の突起
【図１】
2011000302.tif 000003
【図２】
2011000302.tif 000004
【図３】
2011000302.tif 000005